(57)【要約】【課題】異なる照明色を発する光源を、互いに異なる位置に配置しても照明ムラの発生を抑制することが可能な計器の照明装置を提供するものである。【解決手段】文字板３と、この文字板３の背後に設けられる導光体７と、この導光体７を介して文字板３を照明するとともに異なる照明色を発する複数の光源９ａ，９ｂとを備えた計器の照明装置であって、複数の光源９ａ、９ｂを近接配置し、この近接配置した複数の光源９ａ、９ｂ側に伸びる延長部７ｂを導光体７に設けるとともに、延長部７に各光源９ａ、９ｂからの光を受光し拡散する拡散受光部７ｃを各光源９ａ、９ｂ毎に設けたものである。【選択図】  図３
2004325298.tif 000002
【特許請求の範囲】
【請求項１】
文字板と、この文字板の背後に設けられる導光体と、この導光体を介して前記文字板を照明するとともに異なる照明色を発する複数の光源とを備えた計器の照明装置であって、前記複数の光源を近接配置し、この近接配置した前記複数の光源側に伸びる延長部を前記導光体に設けるとともに、前記延長部に前記各光源からの光を受光し拡散する拡散受光部を各光源毎に設けたことを特徴とする計器の照明装置。
【請求項２】
前記拡散受光部を凹部形状としたことを特徴とする請求項１記載の計器の照明装置。
【請求項３】
前記凹部形状を円弧とし、この円弧の中間点と前記各光源の発光点とを通過する直線が交わるように傾けたことを特徴とする請求項２記載の計器の照明装置。
【発明の詳細な説明】
【０００１】
【発明の属する技術分野】
本発明は、例えば自動車等の車両に搭載される計器の照明装置に関し、特に照明色が切り替わる計器の照明装置に関する。
【０００２】
【従来の技術】
従来、この種の計器の照明装置は、透過照明式の文字板を備え、この文字板の警告表示領域に対して警告色または通常色の照明を行う照明手段を備えている。この照明手段は、緑色と赤色のそれぞれ照明色の異なる光源（電球）と、この光源の切り替えを行う照明切替手段と、導光体とを備えている。この導光体は、文字板に対して照明を導く扇形の部分と、光源からの光を扇形の部分に光を導く光導入部分とを備えている。この光導入部分は、光源毎に設けられており、その基端部分は扇形の部分とつながっており、先端部は各光源に対向している。そして、照明切替手段によって、各光源のどちらか一方を点灯させて、文字板を照明するものであった（例えば、特許文献１参照）。
【０００３】
【特許文献１】
実開平４−１２６１２２号公報（図１，図３）
【０００４】
【発明が解決しようとする課題】
しかしながら、従来の計器の照明装置では、異なる照明色の異なる光源を別々に設けていたために、光源を同じに位置に設けることができないので、発光点（電球のフィラメントの位置）が異なるため、この位置の違いによって、文字板の照明に照明ムラが発生する虞があった。
【０００５】
そこで、緑と赤などの異なる発光色を発する発光点を１つのケースに内蔵した発光ダイオードチップを採用することが考えられるが、このような多色の照明色を発する発光ダイオードは高価であるとともに、各発光点に供給される電流値が同じであるため、発光色が異なることで輝度が違ってしまい、照明ムラが生じるという問題点もあった。また、同じケース内に発光点があることで、そのケース内での発光点の位置が異なっているため、各発光点に対して理想的な位置に受光部を配置することができず、発光点からの光を有効に活用できないという問題点があった。
【０００６】
そこで、本発明は、この点に鑑みてなされたもので、その主な目的は、異なる照明色を発する光源を、互いに異なる位置に配置しても照明ムラの発生を抑制することが可能な計器の照明装置を提供するものである。
【０００７】
【課題を解決するための手段】
本発明は前記目的を達成するため、文字板と、この文字板の背後に設けられる導光体と、この導光体を介して前記文字板を照明するとともに異なる照明色を発する複数の光源とを備えた計器の照明装置であって、前記複数の光源を近接配置し、この近接配置した前記複数の光源側に伸びる延長部を前記導光体に設けるとともに、前記延長部に前記各光源からの光を受光し拡散する拡散受光部を各光源毎に設けたものである。
【０００８】
また、本発明は、前記拡散受光部を凹部形状としたものである。
【０００９】
また、本発明は、前記凹部形状を円弧とし、この円弧の中間点と前記各光源の発光点とを通過する直線が交わるようにものである。
【００１０】
【発明の実施の形態】
本発明の計器の照明装置は、文字板３と、この文字板３の背後に設けられる導光体７と、この導光体７を介して文字板３を照明するとともに異なる照明色を発する複数の光源９ａ，９ｂとを備えた計器の照明装置であって、複数の光源９ａ、９ｂを近接配置し、この近接配置した複数の光源９ａ、９ｂ側に伸びる延長部７ｂを導光体７に設けるとともに、延長部７に各光源９ａ、９ｂからの光を受光し拡散する拡散受光部７ｃを各光源９ａ、９ｂ毎に設けたものである。このように構成したことにより、異なる照明色を発する光源を、互いに異なる位置に配置しても照明ムラの発生を抑制することが可能な計器の照明装置を提供することができる。
【００１１】
また、拡散受光部７ｃを凹部形状としたものである。このように構成したことにより、異なる照明色を発する光源を、互いに異なる位置に配置しても照明ムラの発生を抑制することが可能な計器の照明装置を提供することができる。
【００１２】
また、本発明は、凹部形状を円弧とし、この円弧の中間点１０と各光源９ａ、９ｂの発光点１１、１２とを通過する直線Ｌ１、Ｌ２を交わるように傾けたものである。このように構成したことにより、異なる照明色を発する光源を、互いに異なる位置に配置しても照明ムラの発生を抑制することが可能な計器の照明装置を提供することができる。
【００１３】
【実施例】
図１から図４は本発明の一実施例を示すもので、以下、本発明を例えば自動車の計器装置に適用した場合について説明する。
【００１４】
本実施例による計器装置１は、図１に示すように、指針２と、この指針２の背後に位置する文字板３と、この文字板３が露出するように開口部４を備えた合成樹脂からなる見返し板５とを備えている。
【００１５】
この計器装置１は、車両の速度を指示する指示計器であり、指針２は、棒状の指示部２ａと指針２の回転中心部分を覆う指針キャップ２ｂとで構成されている。指示部２ａは透明な合成樹脂にて形成されており、指針キャップ２は遮光性の合成樹脂にて形成されている。指示部２ａは文字板３の背後に設けた図示しない光源からの光を受けて発光するものである。
【００１６】
文字板３には、目盛６と、この目盛６に対応した速度を表す数字や単位を表す文字などが設けられている。なお、数字や文字などは図示していない。この文字板３は、板状の透明な合成樹脂からなる基板に、目盛６や文字などを除いて遮光性の塗料が印刷されている。目盛６や文字の部分は光が透過するように形成されている。なお、目盛６や文字の部分を光透過性の着色塗料にて形成してもよい。
【００１７】
文字板３の背後には、導光体７と、この導光体７の背後に回路基板８が設けられている。この回路基板８には、導光体７を介して文字板３の目盛６や前記文字などを照明する光源９ａ、９ｂが設けられている。
【００１８】
導光体７は文字板３に沿う板状部分７ａと、この板状部分７ａの周囲部分から光源９ａ、９ｂ側に伸びる延長部７ｂが設けられている。なお、本実施例では、この延長部７ｂは円筒状に形成されている。
【００１９】
回路基板８はガラスエポキシ樹脂からなる硬質の回路基板であり、その表面に図示しない電極パターンが形成されている。
【００２０】
光源９ａ、９ｂは、本実施例では、表面実装型のチップ型の発光ダイオードであり、緑色と赤色の光を発する発光ダイオード９ａ、９ｂを、二つ一組として３カ所に設けてある。この異なる照明色を発する発光ダイオード９ａ、９ｂは近接して設けられている。発光ダイオード９ａ、９ｂは、前記配線パターンや発光ダイオード９ａ、９ｂへの通電量を制御する電子部品などの配置を考慮して可能な限り近接するように設けられている。この発光ダイオード９ａ、９ｂは、それぞれ一つの発光点１１，１２を備えている。
【００２１】
導光体７の延長部７ｂに各光源９ａ、９ｂからの光を受光し拡散する拡散受光部７ｃを設けてある。この拡散受光部７ｃは、各光源９ａ，９ｂ毎に設けられている。さらに、各光源９ａ、９ｂの発光点１１，１２に合わせてある。なお、７ｄは反射面であり、拡散受光部７ｃで受けた光を板状部分７ａ側に反射するものである。このように構成したことにより、異なる照明色を発する光源９ａ、９ｂを、互いに異なる位置に配置しても照明ムラの発生を抑制することが可能な計器の照明装置を提供することができる。
【００２２】
拡散受光部７ｃは、図２で示すように、延長部７ｂの板厚方向への拡散を抑制するために、その断面形状は凸部形状である。拡散受光部７ｃの断面形状を凸部形状としたことで、板厚方向への拡散を抑制することができ、光源９ａ、９ｂの光を有効に活用することができる。
【００２３】
また、図３で示すように、延長部７ｂの板面方向への拡散を促進するために、凹部形状である。なお、延長部７ｂは円筒状であるので、板面は平面ではなく湾曲している。このように形成したことによって、導光体７の板面方向への拡散が促進されて、異なる照明色を発する光源９ａ、９ｂを、互いに異なる位置に配置しても照明ムラの発生を抑制することが可能な計器の照明装置を提供することができる。
【００２４】
拡散受光部７ｃの凹部形状は、図４で示すように、その一部に円弧を備えており、図中矢印で示される円弧の中間点１０と各光源９ａ、９ｂの発光点１１、１２とを通過する直線Ｌ１、Ｌ２が交わるように傾けてある。光源９ａからの直線Ｌ１は、光源９ｂ側に傾き、光源９ｂからの直線Ｌ２は、光源９ａ側に傾いている。
【００２５】
このように直線Ｌ１、Ｌ２を傾けることで、光源９ａ、９ｂからの光が拡散する範囲をより積極的に重ねることができ、異なる照明色を発する光源９ａ、９ｂを、互いに異なる位置に配置しても照明ムラの発生を抑制することが可能な計器の照明装置を提供することができる。また、円弧の半径を小さくすることで、光の拡散を促進し、逆に、円弧の半径を大きくすることで、光の拡散を抑制することができるので、光源９ａ、９ｂが照明する範囲によって、任意に設定可能である。
【００２６】
なお、前記実施例では、延長部７ｂは円筒状であったが、前記実施例に限定されるものではなく、照明に影響を与えない形状であれば、その形状は任意である。
【００２７】
【発明の効果】
以上、本発明によれば、初期の目的を達成することができ、異なる照明色を発する光源を、互いに異なる位置に配置しても照明ムラの発生を抑制することが可能な計器の照明装置を提供することができる。
【図面の簡単な説明】
【図１】本発明の一実施例の正面図である。
【図２】図１中のＡ−Ａ線の断面図である。
【図３】図２中の矢印Ｂ方向から見た側面図である。
【図４】図３の要部拡大図である。
【符号の説明】
１    計器装置
２    指針
２ａ  指示部
２ｂ  指針キャップ
３    文字板
４    開口部
５    見返し板
６    目盛
７    導光体
７ａ  板状部分
７ｂ  延長部
７ｃ  拡散受光部
７ｄ  反射面
８    回路基板
９    光源
９ａ、９ｂ  発光ダイオード
１０    円弧の中間点
１１、１２  発光点
Ｌ１、Ｌ２  直線
【図１】
2004325298.tif 000003
【図２】
2004325298.tif 000004
【図３】
2004325298.tif 000005
【図４】
2004325298.tif 000006